(57)【要約】【課題】刈刃によって茶樹から刈り取られた茶葉等の刈取対象物を確実に搬送することのできる刈取機を提供する。【解決手段】主吹出口３２ｄが、刈刃２１の後方において刈刃２１に沿って形成され、補助吹出口３２ｅが、主吹出口３２ｄの上方において、刈刃２１の延びる方向における所定位置に設けられている。これにより、刈刃２１によって刈り取とられた茶葉を主吹出口３２ｄ及び補助吹出口３２ｅから吹き出された空気によって収容部４０まで確実に搬送することができるので、茶葉の収穫量の増加を図ることが可能となる。【選択図】図３
2019071835.tif 000002
【特許請求の範囲】
【請求項１】
畝を跨いで走行する走行体と、
畝から刈取対象物を刈り取る刈刃と、
刈刃の上方に端部開口が設けられ、刈刃によって刈り取られた刈取対象物を所定の放出位置に向かって案内する搬送ダクトと、
搬送ダクト内において刈取対象物を搬送する空気の流れを生じさせる送風手段と、を備え、
搬送ダクトの下方には、送風手段によって送られる空気を上方に吹き出す主吹出口及び補助吹出口が設けられ、
主吹出口は、刈刃の後方において刈刃に沿って形成され、
補助吹出口は、主吹出口の上方において、刈刃の延びる方向における所定位置に設けられている
刈取機。
【請求項２】
搬送ダクトは、端部開口の上方において、分岐してそれぞれ上方に延びるとともに、互いに走行体の幅方向に配置された複数の搬送路を有し、
補助吹出口は、複数の搬送路の間に位置する分岐部の近傍に配置されている
請求項１に記載の刈取機。
【請求項３】
搬送ダクトは、端部開口の上方において、端部開口から上方の所定位置まで幅方向寸法が徐々に小さく形成された上方に延びる１つの搬送路を有し、
補助吹出口は、搬送路の幅方向中央部側に配置されている
請求項１に記載の刈取機。
【請求項４】
搬送ダクトの端部開口の後端部と主吹出口の後側との間には、後板部が設けられ、
補助吹出口は、後板部に設けられている
請求項１乃至３のいずれかに記載の刈取機。
【請求項５】
補助吹出口は、後板部に補助吹出口用開口部を形成し、補助吹出口用開口部を前方から覆うとともに、前方に張り出させることで、上部が開放される吹出口形成板によって形成されている
請求項４に記載の刈取機。
【請求項６】
吹出口形成板は、上端部から下方に向かって前方に突出する寸法が徐々に小さくなる
請求項５に記載の刈取機。
【発明の詳細な説明】
【技術分野】
【０００１】
本発明は、例えば、畝状の茶樹に沿って移動しながら茶樹から茶葉を刈り取る刈取機に関するものである。
【背景技術】
【０００２】
従来、この種の刈取機としては、畝状の茶樹に沿って走行する走行体と、茶樹から茶葉を刈り取る刈刃と、刈刃の上方に端部開口が設けられ、刈刃によって刈り取られた茶葉を所定の放出位置に向かって案内する搬送ダクトと、搬送ダクト内において茶葉を搬送する空気の流れを生じさせる送風手段と、を備え、送風手段によって送られる空気を上方に吹き出す空気吹出口が、搬送ダクトの下方且つ刈刃の後方において、刈刃に沿って形成されているものが知られている（例えば、引用文献１参照）。
【０００３】
前記刈取機の搬送ダクトとしては、端部開口の上方において、分岐してそれぞれ上方に延びるとともに、互いに走行体の幅方向に配置された一対の搬送路を有するものがある。
【０００４】
また、前記刈取機のその他の種類の搬送ダクトとしては、端部開口の上方において、端部開口から上方の所定位置まで幅方向寸法が徐々に小さく形成された上方に延びる１つの搬送路を有するものがある。
【先行技術文献】
【特許文献】
【０００５】
【特許文献１】特開２０１０−１１７８５号公報
【発明の概要】
【発明が解決しようとする課題】
【０００６】
一対の搬送路を有する搬送ダクトでは、一対の搬送路の間に分岐部が形成されることになる。このため、一対の搬送路を有する搬送ダクトを備えた刈取機では、刈り取られた茶葉の全長が長い場合に、茶葉が分岐部に引っ掛かることがあり、刈刃によって刈り取られた茶葉の全てを所定の放出位置に向かって搬送することができない状態が生じ得る。
【０００７】
また、１つの搬送路を有する搬送ダクトでは、幅方向寸法が上方に向かって小さくなっているため、幅方向両外側における空気の流速は早くなる。一方、１つの搬送路を有する搬送ダクトでは、幅方向中央部側における空気の流速が、幅方向両外側の空気の流速と比較して遅いため、幅方向中央部側を通る茶葉を所定の放出位置に向かって搬送することができない状態が生じ得る。
【０００８】
本発明の目的とするところは、刈刃によって茶樹から刈り取られた茶葉等の刈取対象物を確実に搬送することのできる刈取機を提供することにある。
【課題を解決するための手段】
【０００９】
本発明は、前記目的を達成するために、畝を跨いで走行する走行体と、畝から刈取対象物を刈り取る刈刃と、刈刃の上方に端部開口が設けられ、刈刃によって刈り取られた刈取対象物を所定の放出位置に向かって案内する搬送ダクトと、搬送ダクト内において刈取対象物を搬送する空気の流れを生じさせる送風手段と、を備え、搬送ダクトの下方には、送風手段によって送られる空気を上方に吹き出す主吹出口及び補助吹出口が設けられ、主吹出口は、刈刃の後方において刈刃に沿って形成され、補助吹出口は、主吹出口の上方において、刈刃の延びる方向における所定位置に設けられている。
【００１０】
これにより、刈取対象物の上方への搬送が困難となる刈刃の延びる方向の所定位置において、主吹出口及び補助吹出口から吹き出された空気によって刈取対象物が搬送されることから、刈刃によって刈り取られた刈取対象物が所定の放出位置まで確実に搬送される。
【発明の効果】
【００１１】
本発明によれば、刈刃によって刈り取られた刈取対象物を主吹出口及び補助吹出口から吹き出される空気によって確実に所定の放出位置まで確実に搬送することができるので、刈取対象物の収穫量の増加を図ることが可能となる。
【図面の簡単な説明】
【００１２】
【図１】本発明の一実施形態を示す刈取機の側面図である。
【図２】刈取機の正面図である。
【図３】刈取装置及び搬送装置の要部斜視図である。
【図４】刈取装置及び搬送装置の要部側面断面図である。
【図５】第１ダクト部材内の空気の流れを示す図である。
【図６】本発明の他の実施形態を示す刈取装置及び搬送装置の要部斜視図である。
【図７】第１ダクト部材内の空気の流れを示す図である。
【発明を実施するための形態】
【００１３】
図１乃至図５は、本発明の一実施形態を示すものである。
【００１４】
本発明の刈取機１は、搭乗したオペレータの操作によって走行しながら畝状の茶樹から刈取対象物としての茶葉の刈り取りを行うものである。刈取機１は、図１に示すように、畝状の茶樹を跨いで茶樹の延びる方向に沿って走行するための走行体１０と、茶樹から茶葉を刈り取るための刈取装置２０と、刈取装置２０によって刈り取られた茶葉を所定の放出位置まで搬送するための搬送装置３０と、搬送装置３０によって搬送された茶葉を収容するための放出位置としての収容部４０と、刈取装置２０、後述する送風機を除く搬送装置３０及び収容部４０を上下方向に移動させる昇降装置５０と、を備えている。
【００１５】
走行体１０は、上部側に位置する本体１１と、本体１１の幅方向両側からそれぞれ下方に延びる一対の脚部１２と、脚部１２の下端部に設けられた走行装置１３と、を備えている。
【００１６】
本体１１は、図１及び図２に示すように、水平面状に形成された床部１１ａを有している。
【００１７】
床部１１ａの右側の前部には、オペレータが刈取機１の動作に関する操作入力を行う操作入力部１１ｂが設けられ、操作入力部１１ｂの後方には、操作入力部１１ｂを操作するオペレータが着座するシート１１ｃが設けられている。また、床部１１ａの左側には、走行体１０、刈取装置２０、搬送装置３０及び昇降装置５０の動力源となるエンジン１４が設けられている。さらに、床部１１ａにおける操作入力部１１ｂとエンジン１４との間には、搬送装置３０を構成する後述する送風機が設けられている。
【００１８】
一対の脚部１２は、図１に示すように、それぞれ、本体１１の幅方向両側の前側から下方に延びる前側部材１２ａと、後側から下方に延びる後側部材１２ｂと、前側部材１２ａの下端部と後側部材１２ｂの下端部とを互いに連結する連結部材１２ｃと、を有している。
【００１９】
また、一対の脚部１２は、それぞれ本体１１に対して幅方向に移動自在に支持されている。一対の脚部１２は、例えば、各脚部１２側に固定されたラックと、本体１１側に回転自在に支持されたピニオンと、からなる脚部連動機構によって互い連動する。一対の脚部１２は、油圧モータで脚部連動機構のピニオンを駆動させることによって互いの間隔の調整が可能である。
【００２０】
走行装置１３は、図１に示すように、各脚部１２の下端側の前側に設けられた駆動輪１３ａと、各脚部１２の下端側の後側に設けられた従動輪１３ｂと、駆動輪１３ａ及び従動輪１３ｂに巻き掛けられたゴム製または金属製のクローラ１３ｃと、を有している。走行装置１３は、駆動輪１３ａを油圧モータ１３ｄによって駆動させることにより、駆動輪１３ａ及び従動輪１３ｂに巻き掛けられたクローラ１３ｃを回転させる。
【００２１】
刈取装置２０は、図２に示すように、一対の脚部１２の間を幅方向に延びる上下一対の刈刃２１と、一対の刈刃２１をそれぞれ幅方向に往復動させるための油圧モータと、を有している。一対の刈刃２１は、それぞれ幅方向に延びる櫛形の刃であり、一対の刈刃２１をそれぞれ往復動させることで茶葉を挟み切る。一対の刈刃２１は、それぞれ長手方向の両端部に対して中央部が上方に位置する円弧状に形成されている。
【００２２】
搬送装置３０は、図１及び図２に示すように、刈刃２１によって刈り取られた茶葉を収容部４０に搬送する空気の流れを生じさせるための送風手段としての送風機３１と、送風機３１から吐出された空気を流入させるための空気流入ダクト３２と、刈刃２１で刈り取られた茶葉を後方に移動させるための幅方向一対の回転ブラシ３３と、刈刃２１で刈り取られた茶葉を上方且つ後方に案内するための搬送ダクト３４と、を有している。
【００２３】
送風機３１は、エンジン１４の動力によって駆動する多翼ファンであり、図２に示すように、本体１１の床部１１ａにおける操作入力部１１ｂとエンジン１４との間に設けられている。送風機３１は、空気の吐出口が後方に向くように床部１１ａに配置されている。
【００２４】
空気流入ダクト３２は、刈刃２１の長手方向の寸法よりもやや大きい幅寸法を有し、図４に示すように、刈刃２１の後方に設けられている。空気流入ダクト３２の上面部は、幅方向両端側に対して幅方向中央部側が上方に張り出す円弧状に形成され、幅方向中央部に送風機３１が吐出した空気を取り込むための空気取込口３２ａが設けられている。送風機３１の空気の吐出口と空気取込口３２ａとは、可撓性を有するフレキシブルダクト３２ｂによって接続されている。フレキシブルダクト３２ｂは、搬送ダクト３４の後述する一対の第２ダクト部材の間に配置されている。空気流入ダクト３２の下端側には、幅方向にわたって空気の流路が前方に延びる延出部３２ｃが形成され、延出部３２ｃが搬送ダクト３４の下方に位置している。搬送ダクト３４の下方に位置する延出部３２ｃの上面には、幅方向にわたって開口が上方に臨む主吹出口３２ｄが設けられている。
【００２５】
一対の回転ブラシ３３は、図２に示すように、それぞれ、回転軸３３ａと、各回転軸３３ａの外周部に設けられた複数のブラシユニット３３ｂと、とからなる。一対の回転ブラシ３３は、互いに走行体１０の幅方向に並べて配置され、各回転軸３３ａが、走行体１０の幅方向外側から幅方向中央部側に向かって斜め上方に延びるように、刈刃２１の上方に位置する枠部材３３ｃに回転自在に支持されている。一対の回転ブラシ３３の各回転軸３３ａは、走行体１０の幅方向中央部側の端部同士が例えばユニバーサルジョイントによって連結されており、一方の回転軸３３ａを油圧モータによって回転させることにより他方の回転軸３３ａが連動して回転する。また、複数のブラシユニット３３ｂは、それぞれ基台に毛材が取り付けられた部材であり、回転軸３３ａの軸方向に重複することなく配置されるとともに、回転軸３３ａの周方向に互いに間隔をおいて配置される。ブラシユニット３３ｂは、毛材の先端部が刈刃２１に近接する回転位置において、毛材の先端部が刈刃２１の円弧形状に沿う毛材の長さ寸法となっている。
【００２６】
搬送ダクト３４は、図１及び図２に示すように、刈刃２１の上方からやや後方に傾斜しながら上方に延びると共に上部側において走行体１０の幅方向に搬送路が分岐した第１ダクト部材３４ａと、第１ダクト部材３４ａの上部において分岐した搬送路のそれぞれに接続されて後方に傾斜しながら上方に延びる一対の第２ダクト部材３４ｂと、一対の第２ダクト部材３４ｂのそれぞれの端部と収容部４０の上部とを接続する一対の第３ダクト部材３４ｃと、を有している。
【００２７】
第１ダクト部材３４ａは、下側の幅寸法が空気流入ダクト３２の幅寸法と略同一であり、図４に示すように、刈刃２１の上方且つ空気流入ダクト３２の前側に設けられている。第１ダクト部材３４ａは、刈刃２１に対して上方に所定の間隔をおいた位置に茶葉を流入させるための端部開口としての流入口３４ａ１が設けられている。第１ダクト部材３４ａは、図３に示すように、流入口３４ａ１から上方に向かって幅寸法が徐々に小さく形成されるとともに、幅方向の中央部に設けられた分岐部３４ａ２によって茶葉の搬送路が幅方向に分岐して上方に延びている。
【００２８】
また、第１ダクト部材３４ａの流入口３４ａ１の後端部と主吹出口３２ｄの後側との間には、図３及び図４に示すように、幅方向にわたって後板部３５が設けられている。後板部３５は、空気流入ダクト３２の前面側に位置する部材である。
【００２９】
さらに、後板部３５における刈刃２１の延びる方向の所定位置には、主吹出口３２ｄから上方に間隔をおいて、空気流入ダクト３２を流通する空気の一部を上方に吹き出すための４つの補助吹出口３２ｅが設けられている。４つの補助吹出口３２ｅは、それぞれ第１ダクト部材３４ａの幅方向における分岐部３４ａ２の近傍に設けられている。具体的には、４つの補助吹出口３２ｅが、分岐部３４ａ２の幅方向両側にそれぞれ２つずつ配置されている。
【００３０】
補助吹出口３２ｅは、後板部３５に形成されている。補助吹出口３２ｅは、頂角を下方に向けた二等辺三角形状の補助吹出口用開口部３５ａを後板部３５に形成し、補助吹出口用開口部３５ａを吹出口形成板３５ｂによって前方から覆うことにより形成される。吹出口形成板３５ｂは、幅方向の中央部が下方から上方に向かって徐々に前方に張り出すように形成され、補助吹出口用開口部３５ａを前方から覆った状態で、補助吹出口用開口部３５ａを上方に向けている。吹出口形成板３５ｂは、前方に突出する寸法及び幅方向の寸法が上端部から下方に向かって徐々に小さくなる。
【００３１】
収容部４０は、外周部に通気孔を有する板状部材が配置された箱状の部材からなり、上部の前面に搬送ダクト３４の一対の第３ダクト部材３４ｃの端部が接続されている。収容部４０は、上部を回転中心として昇降装置５０に対して回転自在に支持されており、油圧シリンダ４１によって後方に回転させることにより、内部に収容された茶葉を下方に放出する。
【００３２】
昇降装置５０は、一対の脚部１２の後側部材１２ｂに設けられている。昇降装置５０には、刈取装置２０、送風機３１を除く搬送装置３０及び収容部４０が支持されており、油圧シリンダの駆動によって刈取装置２０、送風機３１を除く搬送装置３０及び収容部４０を上下方向に移動させる。
【００３３】
以上のように構成された刈取機１において、茶樹から茶葉を刈り取る作業を行う場合に、オペレータは、まず、茶樹の幅に合わせて一対の脚部１２の間隔を調整するとともに、昇降装置５０を駆動させて茶樹の高さに合わせて刈刃２１の高さを調整する。次に、オペレータは、刈刃２１、一対の回転ブラシ３３及び送風機３１を駆動させて茶葉の刈り取り作業を行う。
【００３４】
刈刃２１によって茶樹から刈り取られた茶葉は、回転ブラシ３３によって後方に送られると共に、送風機３１から吐出されて空気流入ダクト３２を介して主吹出口３２ｄ及び補助吹出口３２ｅから上方に吹き出された空気によって上方に送られる。主吹出口３２ｄ及び補助吹出口３２ｅから吹き出された空気によって上方に送られた茶葉は、搬送ダクト３４を通って一対の第３ダクト部材３４ｃの端部から後方に放出され、収容部４０内に収容される。
【００３５】
ここで、搬送ダクト３４の第１ダクト部材３４ａ内において、収容部４０に向かって搬送される茶葉は、刈り取られた全長が長い場合に、分岐部３４ａ２に引っ掛かり易くなる。しかし、第１ダクト部材３４ａ内の分岐部３４ａ２の幅方向両外側は、図５に示すように、主吹出口３２ｄから上方に吹き出した空気に加えて、補助吹出口３２ｅから上方に吹き出した空気が流通するため、空気の流量が多くなる。このため、第１ダクト部材３４ａ内において、分岐部３４ａ２に向かって送られた茶葉は、主吹出口３２ｄから吹き出した空気及び補助吹出口３２ｅから吹き出した空気によって分岐部３４ａ２よりも上方に搬送されることになり、分岐部３４ａ２における引っ掛かりが抑制される。
【００３６】
このように、本実施形態の刈取機によれば、主吹出口３２ｄが、刈刃２１の後方において刈刃２１に沿って形成され、補助吹出口３２ｅが、主吹出口３２ｄの上方において、刈刃２１の延びる方向における所定位置に設けられている。
【００３７】
これにより、刈刃２１によって刈り取とられた茶葉を主吹出口３２ｄ及び補助吹出口３２ｅから吹き出された空気によって収容部４０まで確実に搬送することができるので、茶葉の収穫量の増加を図ることが可能となる。
【００３８】
また、搬送ダクト３４の第１ダクト部材３４ａは、流入口３４ａ１の上方において、分岐してそれぞれ上方に延びるとともに、互いに走行体１０の幅方向に配置された一対の搬送路を有し、補助吹出口３２ｅは、複数の搬送路の間に位置する分岐部３４ａ２の近傍に配置されている。
【００３９】
これにより、刈り取られた茶葉の搬送が妨げられる箇所である分岐部３４ａ２において、主吹出口３２ｄ及び補助吹出口３２ｅから吹き出される空気によって茶葉を分岐部３４ａ２よりも上方に移動させて収容部４０まで確実に搬送することが可能となる。
【００４０】
また、搬送ダクト３４の第１ダクト部材３４ａの流入口３４ａ１の後端部と主吹出口３２ｄの後側との間に位置する後板部３５に、補助吹出口３２ｅが形成されている。
【００４１】
これにより、補助吹出口３２ｅから吹き出す空気を後板部３５に沿って流通させることが可能となるので、後板部３５の近傍に到達した茶葉を確実に上方に搬送することが可能となる。
【００４２】
また、補助吹出口３２ｅは、後板部３５に補助吹出口用開口部３５ａを形成し、補助吹出口用開口部３５ａを前方から覆うとともに、前方に張り出させることで、上部が開放される吹出口形成板３５ｂによって形成されている。
【００４３】
これにより、補助吹出口３２ｅの空気の吹き出し方向を、後板部３５の前面に沿う方向とすることができるので、後板部３５の近傍に到達した茶葉を後板部３５の前面に沿って搬送することが可能となる。
【００４４】
また、吹出口形成板３５ｂは、上端部から下方に向かって前方に突出する寸法が徐々に小さくなる。
【００４５】
これにより、補助吹出口３２ｅの下方において主吹出口３２ｄから吹き出される空気を、吹出口形成板３５ｂの外面に沿って流通させることが可能となり、主吹出口３２ｄから吐出された空気の流れの乱れを抑制することが可能となる。
【００４６】
図６及び図７は、本発明の他の実施形態を示すものである。尚、前記実施形態と同様の構成部分には同一の符号を付して示す。
【００４７】
本実施形態の搬送ダクト３４の第１ダクト部材３４ｄには、刈刃２１に対して上方に所定の間隔をおいた位置に茶葉を流入させるための端部開口としての流入口３４ｄ１が設けられている。第１ダクト部材３４ｄは、流入口３４ｄ１から上方に向かって幅寸法が徐々に小さく形成された１つの搬送路が上方に延びている。また、第１ダクト部材３４ｄの上端部には、１つの第２ダクト部材３４ｂが接続されている。さらに、第２ダクト部材３４ｂの上端部には、１つの第３ダクト部材３４ｃが接続されている。
【００４８】
ここで、フレキシブルダクト３２ｂは、１つの第２ダクト部材３４ｂの幅方向一方の外側を通されて、送風機３１の空気の吐出口と空気流入ダクト３２の空気取込口３２ａとを接続している。
【００４９】
また、補助吹出口３２ｅは、主吹出口３２ｄから上方に間隔をおいて、後板部３５における第１ダクト部材３４ｄの搬送路の幅方向中央部側に複数設けられている。具体的には、４つの補助吹出口３２ｅが、第１ダクト部材３４ｄの搬送路の幅方向中央部側において、互いに幅方向に間隔をおいて配置されている。
【００５０】
以上のように構成された刈取機１において、主吹出口３２ｄから吹き出される空気は、主吹出口３２ｄの延びる方向にわたって均一に上方に吹き出されるが、上方に向かうに従って、第１ダクト部材３４ｄの幅方向外側と比較して幅方向中央部側の流速が遅くなる。しかし、第１ダクト部材３４ｄの幅方向中央部側には、主吹出口３２ｄから上方に吹き出した空気に加えて、補助吹出口３２ｅから上方に吹き出した空気が流通する。このため、第１ダクト部材３４ｄの幅方向中央部側を流通する空気は、補助吹出口３２ｅから吹き出される空気によって流速の低下が抑制される。したがって、第１ダクト部材３４ｄ内において、刈り取られた茶葉は、第１ダクト部材３４ｄの幅方向にわたって偏りなく上方に向かって搬送されることになる。
【００５１】
このように、本実施形態の刈取機によれば、前記実施形態と同様に、刈刃２１によって刈り取った茶葉を主吹出口３２ｄ及び補助吹出口３２ｅから吹き出される空気によって収容部４０まで確実に搬送することができるので、茶葉の収穫量の増加を図ることが可能となる。
【００５２】
また、搬送ダクト３４の第１ダクト部材３４ｄは、流入口３４ｄ１の上方において、流入口３４ｄ１から上方の所定位置まで幅方向寸法が徐々に小さく形成された上方に延びる１つの搬送路を有し、補助吹出口３２ｅは、搬送路の幅方向中央部側に配置されている。
【００５３】
これにより、第１ダクト部材３４ｄ内において、幅方向中央部側を流通する空気の流速の低下を抑制することが可能となるので、刈り取られた茶葉を第１ダクト部材３４ｄの幅方向にわたって偏りなく上方に搬送することが可能となる。
【００５４】
尚、前記実施形態では、刈取機として茶樹から茶葉を刈り取るものを示したが、例えば紫蘇の葉等、茶葉以外の植物の葉を刈り取るものに適用することが可能である。
【００５５】
また、前記実施形態では、幅方向両端側に対して幅方向中央部が上方に位置するように円弧状の形状を有する刈刃２１を示したが、例えば幅方向にわたって直線状の刈刃であってもよい。
【００５６】
また、前記実施形態では、搬送ダクト３４の第１ダクト部材３４ｄとして、幅方向一対の搬送路に分岐したもの、及び、１つの搬送路としたもの、を示したが、第１ダクト部材３４ｄは、３以上の搬送路に分岐したものとしてもよい。
【００５７】
また、前記実施形態では、クローラ式の走行装置１３を示したが、これに限られるものではなく、タイヤで走行するものや敷設されたレール上を走行する走行装置であってもよい。
【００５８】
また、前記実施形態では、補助吹出口３２ｅを、後板部３５に設けられた補助吹出口用開口部３５ａ及び吹出口形成板３５ｂとから形成したものを示したが、これに限られるものではない。例えば、後板部に補助吹出口用開口部を設け、補助吹出口用開口部の後側に空気を上方に案内する部材を設けて、補助吹出口用開口部から上方に空気を吹き出すようにしてもよい。
【００５９】
また、前記実施形態では、４つの補助吹出口３２ｅを、主吹出口３２ｄの上方において、第１ダクト部材３４ａの幅方向における分岐部３４ａ２の近傍に設けたものや、第１ダクト部材３４ｄの搬送路の幅方向中央部側に設けたものを示したが、これに限られるものではない。補助吹出口は、主吹出口３２ｄの上方において、第１ダクト部材の幅方向における茶葉が引っ掛かり易い部分の近傍や、第１ダクト部材の幅方向における空気の流速が遅くなる部分に必要な数を配置すればよく、前記実施形態に示す補助吹出口３２ｅの数及び位置に限られない。
【符号の説明】
【００６０】
１…刈取機、１０…走行体、２０…刈取装置、２１…刈刃、３０…搬送装置、３１…送風機、３２ｄ…主吹出口、３２ｅ…補助吹出口、３４…搬送ダクト、３４ａ…第１ダクト部材、３４ａ１…流入口、３４ｄ…第１ダクト部材、３５…後板部、３５ａ…補助吹出口用開口部、３５ｂ…吹出口形成板。
【図１】
2019071835.tif 000003
【図２】
2019071835.tif 000004
【図３】
2019071835.tif 000005
【図４】
2019071835.tif 000006
【図５】
2019071835.tif 000007
【図６】
2019071835.tif 000008
【図７】
2019071835.tif 000009